(57)【要約】【課題】  ディスプレイ装置内の空間活用の極大化およびディスプレイ装置の小型化を容易にするため、ディスプレイ装置のケースをディスプレイユニットの外郭形状に合わせて形成させる。【解決手段】  本発明に係る携帯用電子機器のディスプレイ装置は、ディスプレイユニットの外郭を取り囲む第１および第２のケースと、第１および第２のケースのそれぞれの外郭縁部に対応するように貫通形成される少なくとも１つの第１および第２の貫通孔と、第２のケースの内壁からディスプレイユニットに向かって突出形成され、第１および第２の貫通孔に対応する締結孔を有する少なくとも１つの締結片と、第１および第２の貫通孔を貫通して締結孔とネジ結合されるネジ部を有する少なくとも１つの締結スクリューを備える。【選択図】      図５
2004326086.tif 000002
【特許請求の範囲】
【請求項１】
ディスプレイパネルを有するディスプレイユニットと、前記ディスプレイパネルが露出される前記ディスプレイユニットの前方面側を取り囲み、外部から前記ディスプレイパネルの有効画面を視聴し得るように設けられた窓を有する第１のケースと、前記ディスプレイユニットの後方面側を取り囲むように所定の結合手段により前記第１のケースと結合される第２のケースとを備えるディスプレイ装置において、
前記結合手段は、
前記第１のケースの外郭縁部に貫通形成される少なくとも１つの第１の貫通孔と、
前記第２のケースの内壁から前記ディスプレイユニットに向かって突出形成され、前記少なくとも１つの第１の貫通孔に対応する締結孔を有する少なくとも１つの締結片と、
前記第１の貫通孔を貫通して前記締結孔とネジ結合されるネジ部を有する少なくとも１つの締結部材とを含むことを特徴とするディスプレイ装置。
【請求項２】
前記ディスプレイユニットの前方面と向かい合う前記第１のケースの内壁と前記締結片の端部との間の間隔は、前記ディスプレイユニットの側面厚さ以上に形成されることを特徴とする請求項１に記載のディスプレイ装置。
【請求項３】
前記ディスプレイユニットの後方面は、前記締結片の端部により接触支持されることを特徴とする請求項２に記載のディスプレイ装置。
【請求項４】
前記ディスプレイユニットと前記第２のケースとの間には、前記ディスプレイユニットを制御する制御基板が設けられ、
前記制御基板は、前記締結片と、前記締結部材のネジ部を収容するように所定形状に切り欠いて形成された少なくとも１つのノッチ部とを有することを特徴とする請求項２に記載のディスプレイ装置。
【請求項５】
前記第１の貫通孔は、前記第１のケースの縁部の端部に形成され、
前記第２のケースは、前記第１のケースと第２のケースとの結合時、前記第１の貫通孔を挟んで前記締結片と向かい合う縁部を含み、
前記第２のケースの縁部には、前記第１の貫通孔と対応する第２の貫通孔が形成されることを特徴とする請求項４に記載のディスプレイ装置。
【請求項６】
前記第１のケースと前記第２のケースとの結合時、外部に露出される前記第１および第２のケースの縁部が平面をなすことを特徴とする請求項５に記載のディスプレイ装置。
【請求項７】
前記ディスプレイユニットは、ヒンジユニットにより携帯用機器本体の一側に回動自在に連結され、前記ヒンジユニットは、前記携帯用機器本体と前記制御基板とを互いに信号伝達ができるように連結することを特徴とする請求項３に記載のディスプレイ装置。
【請求項８】
前記ヒンジユニットの一部は、前記第１および第２のケースの少なくともいずれか１つの外側に固定され、
前記ディスプレイユニットの側面の全ては、前記第１のケースの側面縁部の内側壁により接触支持されることを特徴とする請求項７に記載のディスプレイ装置。
【請求項９】
前記ヒンジユニットの一部は、前記第１および第２のケースの少なくとも１つの一側に形成された連結孔を貫通して前記第１および／または第２のケース内に固定され、
前記ディスプレイユニットは、前記ヒンジユニットと向かい合う側面を除いた他の側面の全てが、前記第１のケースの縁部の内側面により接触支持されることを特徴とする請求項７に記載のディスプレイ装置。
【請求項１０】
前記第１のケースは、その内側壁から突出形成される少なくとも１つの係止片をさらに有し、前記係止片は、前記ディスプレイユニットを接触支持して前記ディスプレイユニットが前記ヒンジユニット側への流動を抑制することを特徴とする請求項９に記載のディスプレイ装置。
【請求項１１】
前記第２のケースと締結片とは、一体に形成されることを特徴とする請求項１に記載のディスプレイユニット。
【請求項１２】
前記第２のケースと締結片とは、所定の強度を有する金属材からなるモールド物であることを特徴とする請求項１１に記載のディスプレイユニット。
【請求項１３】
前記第１の貫通孔は、前記第１のケースの縁部の端側に形成され、
前記第２のケースは、前記第１のケースと第２のケースとの結合時、前記第１の貫通孔を挟んで前記締結片と向かい合う縁部を含み、
前記第２のケースの縁部には、前記第１の貫通孔と対応する第２の貫通孔が形成されることを特徴とする請求項１２に記載のディスプレイ装置。
【請求項１４】
前記第２の貫通孔と向かい合い前記締結孔が形成された前記締結片の中央部は、前記締結片から前記第２の貫通孔側に向かって突出し、前記締結片の他の部分より厚くなっていることを特徴とする請求項１３に記載のディスプレイ装置。
【請求項１５】
前記第２のケースの前記第２の貫通孔は、前記第１の貫通孔を有する前記第１のケースの一部を収容する形状であることを特徴とする請求項５に記載のディスプレイ装置。
【発明の詳細な説明】
【技術分野】
【０００１】
本発明は、ディスプレイ装置に関し、より詳しくは、携帯用電子機器に回動自在に設けられるディスプレイ装置に関する。
【背景技術】
【０００２】
通常、携帯電話、デジカメ、デジタルスチールカメラ、ＰＤＡ（Ｐｅｒｓｏｎａｌ  Ｄｉｇｉｔａｌ  Ａｓｓｉｓｔａｎｔ）、ノートブックＰＣ、携帯用音響再生器などのように使用者が携帯して使用できる携帯用電子機器は、使用者の選択により再生される映像、または携帯用電子機器の駆動に関する情報などを可視画像でディスプレイするディスプレイ装置を備えている。
【０００３】
図１は、前述のような携帯用電子機器のうちディスプレイ装置を備えたカムコーダ・デジタルスチールカメラ兼用複合撮影機器１００を一例にして示したものである。図１を参照するに、ディスプレイ装置１２０は、ヒンジユニット１３０により携帯用機器本体１１０の一側に回動自在に設けられ、携帯用機器本体１１０がどのような使用姿勢となるとしても、使用者がディスプレイ装置１２０でディスプレイされる画像が容易に視聴できるようになっている。
【０００４】
図２および図３は、前述のようなディスプレイ装置１２０の内部構造を示すものであって、同図を参照するに、ディスプレイ装置１２０は、ディスプレイユニット１２３と、制御基板１２４と、第１および第２のケース１２１、１２７とを有する。
【０００５】
第１および第２のケース１２１、１２７は、一般に、合成樹脂材のモールド物からなる。かかる第１および第２のケース１２１、１２７の結合は、第１および第２のケース１２１、１２７のそれぞれに形成された第１および第２の貫通孔１２１ａ、１２７ａを貫通する締結スクリュー（Ｓ）がナット部材１２９とネジ結合されることでなされる。ナット部材１２９は、第１のケース１２１の内壁から突出形成されたブラケット１２８に装着される。
【０００６】
かかる構成を有する従来のディスプレイ装置１２０は、携帯用電子機器１００の小型化のために、画像のディスプレイに必要なディスプレイユニット１２３を除いた他の部分を極力小型に形成することが好ましい。
【０００７】
しかし、前述のような従来のディスプレイ装置１２０は、ブラケット１２８の厚さ（ａ）分だけ、第１のケース１２１がディスプレイユニット１２３の大きさより大きく形成される必要があるため、ディスプレイ装置１２０の小型化が困難である。特に、前述のように、第１のケース１２１が合成樹脂材のモールド物で成型される場合、締結スクリュー（Ｓ）のネジ結合に必要な結合強度を確保するため、締結孔１２９ａを有する別のナット部材１２９をブラケット１２８に設ける必要があり、製造工程が複雑であるという問題点がある。
【０００８】
図４は、従来のディスプレイ装置２２０の他の例を示すものである。同図を参照するに、第１および第２のケース２２１、２２７は、それぞれに対応するように形成された結合突起２２１ａと結合孔２２７ａとの嵌合により互いに結合される。このとき、ディスプレイユニット１２３が許容するだけの第１のケース２２１のサイズを極力縮小できるという長所はあるが、ディスプレイ装置２２０の回動のために作用する外部荷重によって第１のケース２２１と第２のケース２２７との間が開くという問題点がある。この場合、外部から異物がディスプレイ装置２２０内に流入されるか、前記外部荷重により結合突起２２１ａまたは結合孔２２７ａが破損するなど、ディスプレイ装置２２０の耐久性が低下するという問題点がある。
【発明の開示】
【発明が解決しようとする課題】
【０００９】
本発明は、前述のような従来の問題点を解決するために創案されたものであって、本発明の目的は、携帯用電子機器の体積を縮小し得るようにディスプレイユニットを取り囲むケースの大きさを最小化させることができる携帯用電子機器のディスプレイ装置を提供することにある。
【課題を解決するための手段】
【００１０】
上記の目的を達成するための本発明に係る携帯用電子機器のディスプレイ装置は、ディスプレイパネルを有するディスプレイユニットと、前記ディスプレイパネルが露出される前記ディスプレイユニットの前方面側を取り囲み、外部から前記ディスプレイパネルの有効画面を視聴できるように設けられた窓を有する第１のケースと、前記ディスプレイユニットの後方面側を取り囲むように所定の結合手段により前記第１のケースと結合される第２のケースとを備え、前記係合手段は、前記第１のケースの外郭縁部に貫通形成される少なくとも１つの第１の貫通孔と、前記第２のケースの内壁から前記ディスプレイユニットに向かって突出形成され、前記少なくとも１つの第１の貫通孔に対応する締結孔を有する少なくとも１つの締結片と、前記第１の貫通孔を貫通して前記締結孔とネジ結合されるネジ部を有する少なくとも１つの締結部材とを含むことを特徴とする。
【００１１】
ここで、前記第１の貫通孔は、前記第１のケースの縁部の端部に形成され、前記第２のケースは、前記第１のケースと第２のケースとの結合時、前記第１の貫通孔を挟んで前記締結片と向かい合う縁部を含み、前記第２のケースの縁部には、前記第１の貫通孔と対応する第２の貫通孔が形成されることが好ましい。
【００１２】
これによれば、締結片の設置による第１のケースの体積拡大を抑制するように締結片を第２のケースの内壁から突出形成させるため、より小さなディスプレイ装置を提供することができる。
【００１３】
本発明の好適な実施例によれば、前記第１のケースの内壁と前記締結片の端部との間の間隔は、前記ディスプレイユニットの側面厚さ以上に形成されることが好ましく、前記ディスプレイユニットの後方面は、前記締結片の端部により接触支持されることがさらに好ましい。
【００１４】
また、前記ディスプレイユニットの後方面と前記第２のケースとの間には、前記ディスプレイユニットの作動を制御する制御基板が設けられ、前記制御基板は、前記締結片と、前記締結部材のネジ部を収容するように所定の形状に切り欠いて形成された少なくとも１つのノッチ部とを有することが好ましい。
【００１５】
また、前記第１のケースと前記第２のケースとの結合時、外部に露出される前記第１および第２のケースの縁部が平面をなすことが好ましい。
【００１６】
また、前記ディスプレイユニットは、ヒンジユニットにより携帯用機器本体の一側に回動自在に連結され、前記ヒンジユニットは、前記携帯用機器本体と前記制御基板とを互いに信号伝達できるように連結することが好ましい。
【００１７】
ここで、前記ヒンジユニットの一部は、前記第１および／または第２のケースの外側に固定される場合、前記ディスプレイユニットの側面の全ては、前記第１のケースの側面縁部の内側壁により接触支持されることが好ましい。
【００１８】
これとは反対に、前記ヒンジユニットの一部は、前記第１および／または第２のケースの一側に形成された連結孔を貫通して前記第１および／または第２のケースの内部に固定され、前記ディスプレイユニットは、前記ヒンジユニットと向かい合う側面を除いた他の側面の全てが、前記第１のケースの縁部の内側面により接触支持されることが好ましい。
【００１９】
ここで、前記第１のケースは、その内側壁から突出形成される少なくとも１つの係止片をさらに有し、前記係止片は、前記ディスプレイユニットを接触支持して前記ディスプレイユニットの前記ヒンジユニット側への流動を抑制することがさらに好ましい。
【００２０】
また、前記第２のケースと締結片とは、所定の強度を有する金属材の鋳造成型により一体に形成されることがさらに好ましい。
【発明の効果】
【００２１】
前述のように、本発明によれば、第１のケースの体積拡大を抑制し得るように締結片を第２のケースの内壁から突出形成させるため、より小さなディスプレイ装置を提供することができる効果を奏する。
【発明を実施するための最良の形態】
【００２２】
以下、本発明の好適な実施例を添付の図面に基づいて詳述する。なお、本発明の実施例を説明するにあたって、前述の図１乃至図４において図示および説明された携帯用電子機器の構成要素と同様な構成および機能を有する構成要素については、同じ参照符号を付し、詳細な説明を省略する。
【実施例】
【００２３】
図５乃至図９に示されたように、本発明の好適な実施例に係るディスプレイ装置３２０は、ディスプレイユニット１２３と、制御基板１２４と、第１および第２のケース３２１、３２７とを有する。
【００２４】
ディスプレイユニット１２３は、制御基板１２４の制御に対応して可視画像を表示するディスプレイパネル（図示せず）を具備する。前記ディスプレイパネルとしては、ＬＣＤ（Ｌｉｑｕｉｄ  Ｃｒｙｓｔａｌ  Ｄｉｓｐｌａｙ）のような液晶表示パネルを使用することが好ましい。
【００２５】
第１のケース３２１は、ディスプレイパネルが露出されたディスプレイユニット１２３の前方面を取り囲み、画像がディスプレイされる前記ディスプレイパネルの有効画面を外部から視聴できるように形成された窓１２２を有する。なお、第２のケース３２７は、所定の結合手段で第１のケース３２１と結合される。これにより、ディスプレイユニット１２３の後方面、即ち、制御基板１２４側を取り囲むようになる。
【００２６】
本発明の好適な実施例に係る結合手段は、第１の貫通孔３２１ａと、第２の貫通孔３２７ａと、締結片３２８と、締結部材３２９とを含む。ここで、締結部材３２９は、ボルト、スクリューのように、後述の締結片３２８の締結孔３２８ａとネジ結合され、第１および第２のケース３２１、３２７を互いに結合させることのできるネジ部３２９ａを有する締結部材であれば良い。
【００２７】
第１の貫通孔３２１ａは、第１のケース３２１の外郭縁部３２１ｃに少なくとも１つ貫通形成される。また、第２の貫通孔３２７ａは、第２のケース３２７の外郭縁部３２７ｃに第１の貫通孔３２１ａに対応するように貫通形成される。かかる第１および第２の貫通孔３２１ａ、３２７ａは、締結部材３２９のネジ部３２９ａと後述の締結片３２８とのネジ結合で第１および第２のケース３２１、３２７を結合し得る形状であれば、どのような形状を取っても良い。一例として、図５に示されたように、第１および第２のケース３２１、３２７の結合時、第１の貫通孔３２１ａが形成された第１のケース３２１の一部が収容されるように第２の貫通孔３２７ａが溝状に形成され、第１および第２のケース３２１、３２７の結合時に外部に露出される第１および第２のケース３２１、３２７の縁部３２１ｃ、３２７ｃが平面をなすようにするなど、種々に変更して実施することができる。
【００２８】
締結片３２８は、第２のケース３２７の内壁から第１のケース３２１側に向かって突出形成される。また、締結片３２８は、第１および第２のケース３２１、３２７の結合時、第１および第２の貫通孔３２１ａ、３２７ａを貫通する締結部材３２９のネジ部３２９ａとネジ結合されるように第１および第２の貫通孔３２１ａ、３２７ａに対応するように配置される締結孔３２８ａを有する。このとき、締結片３２８は、第２のケース３２７の縁部３２７ｃの内壁から所定の距離ｂだけ（図８参照）隔てられることが好ましく、第１のケース３２１の内壁と締結片３２８の端部との間の間隔ｃ（図８参照）がディスプレイユニット１２３の側面厚さｔ（図５参照）と同じであることがさらに好ましい。本実施例のように、ディスプレイユニット１２３の厚さが第１のケース３２１の内壁と締結片３２８の端部との間の間隔ｃに等しい場合、ディスプレイユニット１２３の後方面は、締結片３２８の端部により接触支持される。
【００２９】
これによれば、ディスプレイユニット１２３が締結片３２８と第１のケース３２１の内壁との間の空間に配置されることで、第１および第２のケース３２１、３２７の結合時、締結部材３２９のネジ部３２９ａがディスプレイユニット１２３と第２のケース３２７との間に位置されるようになる。従って、締結部材３２９のネジ部３２９ａの逃げ空間ａ（図２参照）を別に設ける必要がないため、第１のケース３２１の内面をディスプレイユニット１２３の外郭のサイズに等しくすることができる。
【００３０】
この場合、ディスプレイユニット１２３に比べて比較的自由に小さなサイズに成型することのできる制御基板１２４に締結部材３２９のネジ部３２９ａおよび締結片３２８の端部が収容可能な複数のノッチ部１２４ａ（図５参照）を形成させ、従来の逃げ空間ａ（図２参照）に対応する機能を遂行させることが好ましい。これによれば、ディスプレイ装置３２０の幅を狭く形成させることが可能となる。
【００３１】
前述のような締結片３２８は、第２のケース３２７の成型時、第２のケース３２７と一体に形成されるようにすることで、製造を簡単化することが好ましい。このように、第２のケース３２７と締結片３２８とを一体に形成させるためには、種々の製造方法を使用することができる。本実施例では、締結片３２８を薄肉にする場合においても、締結部材３２９と締結孔３２８ａとのネジ結合時に破損しない程度の十分な強度を有するように、金属材からなる第２のケース３２７の鋳造成型と同時に形成される。このとき、第２のケース３２７は、比較的外形の成型が自由で、かつ機械的特性の良いマグネシウムのような軽金属材料で形成されることが好ましい。
【００３２】
なお、制御基板１２４のノッチ部１２４ａを小さく形成させるためには、制御基板１２４の設置のための十分な空間が第２のケース３２７の内部に設けられる必要があり、これによって、第２のケース３２７の中央部を挟んで向かい合う締結片３２８の間の直線間隔ｄを極力大きくする必要がある。このため、締結片３２８は、より薄肉に形成されるが、締結部材３２９のネジ部３２９ａと締結孔３２８ａとのネジ結合に必要な最小ピッチを有する螺旋線（図示せず）が締結孔３２８ａの内周面に形成され得るような厚さとしなければならない。また、締結片３２８は、第２のケース３２７の第２の貫通孔ａから極力近くに位置するように設けられる必要がある。前述の２つの条件を満たすため、本実施例における締結片３２８は、第２のケース３２７の第２の貫通孔３２７ａと向かい合う一側面の中央部３２８ｂのみが第２の貫通孔３２７ａ方向に所定の長さだけ突出した形状となっている。これは、前述のように、締結片３２８と第２のケース３２７の第２の貫通孔３２７ａとの間の間隔が狭いため、通常の鋳型のみでは第２のケース３２７の成型時に締結片３２８まで精密に成型することが容易でなく、これによって、スライドコアを使用する鋳造法により締結片３２８を成型しているためである。かかる成型方法は、鋳造成型において通常使用される方法であり、詳細な説明は、省略する。かかる締結片３２８の形状は、本実施例にのみ限定されるのではない。即ち、成型が可能であれば、締結片３２８の厚さを一様にすることができるなど、種々に変更して可能であることはいうまでもない。
【００３３】
なお、第１のケース３２１の縁部３２１ｃの端部には、第１および第２のケース３２１、３２７の結合時、締結片３２８と第２のケース３２７の縁部３２７ｃとの間に挿入される挿入部３２１ｄが形成され、挿入部３２１ｄに第１の貫通孔３２１ａが形成されることが好ましい。これによって、締結片３２８と向かい合う第２のケース３２７の縁部３２７ｃの内壁との間隔ｂは、挿入部３２７ｄの厚さと同じ大きさとすることが好ましい。
【００３４】
これによれば、第１および第２のケース３２１、３２７の結合時、外部に露出される第１および第２のケース３２１、３２７の縁部３２１ｃ、３２７ｃが互いに平面をなすことができ、締結片３２８により第２のケース３２７のサイズが大きくなるのを抑制することが可能となる。
【００３５】
かかる構成のディスプレイ装置３２０は、ヒンジユニット１３０により携帯用機器本体１１０（図１参照）に少なくとも１軸方向への回転が可能に連結されるが、制御基板１２４と携帯用機器本体１１０とが互いに信号伝達ができるように連結される。かかるヒンジユニット１３０のディスプレイ装置３２０は、通常、ディスプレイ装置３２０の外郭に連結され、または、ディスプレイ装置３２０の内部に固定される。図示してはいないが、ディスプレイ装置３２０の外郭にヒンジユニット１３０の一側が固定される場合、第１のケース３２１の縁部３２１ｃの内側がディスプレイユニット１２３の側面全体を接触支持し得る形状に第１のケース３２１を形成させることができ、第１のケース３２１の大きさをディスプレイユニット１２３に対応するように縮小させることが可能となる。
【００３６】
図５に示されたように、ディスプレイ装置３２０の内部にヒンジユニット１３０の一側が連結される場合、第１および／または第２のケース３２１、３２７の一側には、連結孔３２１ｂ、３２７ｂが貫通形成され、この連結孔３２１ｂ、３２７ｂを貫通して第１および第２のケース３２１、３２７内にヒンジユニット１３０が固定される。
【００３７】
この場合、ディスプレイユニット１２３は、ヒンジユニット１３０と向かい合う一側面を除いては、全て第１のケース３２１の縁部３２１ｃの内壁により接触支持される。これによって、第１のケース３２１には、ディスプレイユニット１２３のヒンジユニット１３０側への流動を抑制し得るように少なくとも１つの係止突起３２１ｅが突出形成されることが好ましい。
【００３８】
以上、カムコーダ・デジタルスチールカメラ兼用の複合撮影機器におけるディスプレイ装置を例にして説明してきたが、これに限定されるのではない。即ち、ディスプレイ装置が回動自在に取り付けられる携帯電話、ＰＤＡなどのような携帯用電子機器であれば、適用可能であることはいうまでもない。
【００３９】
本発明のディスプレイ装置によれば、第１のケース３２１の体積拡大を抑制するように締結片３２８を第２のケース３２７の内壁から突出形成させることで、より小さなディスプレイ装置３２０が提供可能であるという効果が得られる。
【００４０】
以上、図面を参照して本発明の実施例を説明してきたが、本発明の保護範囲は、前述の実施例に限定されるものではなく、特許請求の範囲に記載された発明とその均等物にまで及ぶものである。
【産業上の利用可能性】
【００４１】
本発明は、携帯電話、携帯用音響機器、ＰＤＡ、ノートブックＰＣ、携帯用映像機器などに具備されるディスプレイ装置に適用され、前記機器の小型化を容易に図ることができる。
【図面の簡単な説明】
【００４２】
【図１】一般の携帯用電子機器の一例を示す外観斜視図である。
【図２】従来のディスプレイ装置の結合構造を示す分離斜視図である。
【図３】図２のI−I線に沿った従来のディスプレイ装置が組み立てられた状態を示す断面図である。
【図４】従来のディスプレイ装置の結合構造の他の例を示す分離斜視図である。
【図５】本発明に係るディスプレイ装置の結合構造を示す分離斜視図である。
【図６】図５のＡ部位を拡大して示す斜視図である。
【図７】本発明に係るディスプレイ装置の組立状態を、ディスプレイパネルが見られるようにして示した外観斜視図である。
【図８】図７のII−II線に沿ったディスプレイ装置の内部構造を示す断面図である。
【図９】図８のＢ部位を拡大して示す断面図である。
【符号の説明】
【００４３】
１００    携帯用電子機器
１１０    携帯用機器本体
１２３    ディスプレイユニット
１２４    制御基板
１３０    ヒンジユニット
３２０    ディスプレイ装置
３２１    第１のケース
３２１ａ  第１の貫通孔
３２１ｃ  縁部
３２１ｄ  挿入部
３２７    第２のケース
３２７ａ  第２の貫通孔
３２７ｃ  縁部
３２８    締結片
３２８ａ  締結孔
３２９    締結スクリュ
３２９ａ  ネジ部
【図１】
2004326086.tif 000003
【図２】
2004326086.tif 000004
【図３】
2004326086.tif 000005
【図４】
2004326086.tif 000006
【図５】
2004326086.tif 000007
【図６】
2004326086.tif 000008
【図７】
2004326086.tif 000009
【図８】
2004326086.tif 000010
【図９】
2004326086.tif 000011